(57)【特許請求の範囲】
【請求項１】
履物の中底の上面の一部であって湧泉に対向する位置に載置されるインソールであって、
弾性を有し、表面に粘性を有し、前記履物の中底の上面に載置される平板状の基部と、
前記基部から前記湧泉に向かって突出する頂点を有する突部と、を備え、
前記基部と前記突部は同一の材料により一体成形され、
前記基部と前記突部のうちの少なくとも一方は、前記突部が前記湧泉に対向して配置されるための目印を有することを特徴とするインソール。
【請求項２】
履物の中底の上面の一部であって湧泉に対向する位置に載置されるインソールであって、
弾性を有し、表面に粘性を有し、前記履物の中底の上面に載置される平板状の略卵形の基部と、
前記基部から前記湧泉に向かって突出する頂点を有する突部と、を備え、
前記基部と前記突部は同一の材料により一体成形され、
前記基部の長手方向における長さをＣとし、前記基部の長手方向に直交する幅方向における最大幅をＢとし、前記長手方向及び前記幅方向に直交する方向における前記突部の頂点の厚さをＦとすると、
３５ｍｍ≦Ｂ≦６５ｍｍ
且つ  ５５ｍｍ≦Ｃ≦１０５ｍｍ
且つ  ３．５ｍｍ≦Ｆ≦６．５ｍｍ
を満たしていることを特徴とするインソール。
【請求項３】
前記突部は前記基部より小さく前記基部に対して相似形状であり、
前記基部の幅方向における中央位置は前記突部の幅方向における中央位置に一致することを特徴とする請求項１又は請求項２に記載のインソール。
【請求項４】
前記基部の上面の法線方向において所定の厚さを有する高さ調整部材を更に備え、
前記基部と前記中底の上面との間であって前記湧泉に対向する位置に前記高さ調整部材を挿入可能であることを特徴とする請求項１〜請求項３のいずれかに記載のインソール。
【請求項５】
請求項１〜４いずれかに記載のインソールが装着された履物。
【発明の詳細な説明】
【技術分野】
【０００１】
本発明はインソール及び履物に関し、特に、足のツボ（湧泉）に対する刺激と、履物の中底に対するインソール自体のずれ防止と、インソール上での足の前すべり防止と、を同時に行うことができるインソール及び履物に関する。
【背景技術】
【０００２】
二足直立歩行を行う人間の足底には、踵骨と種子骨との間に弓形の「足底アーチ」と呼ばれる構造が形成されている。足底アーチは、２つの縦アーチと、横アーチと、を有している。一の縦アーチは、踵と小指とを結び、他の縦アーチは、踵と親指とを結ぶ。横アーチは、小指と親指とを結ぶ。２つの縦アーチと横アーチとで、踵、小指、及び親指の３点を結ぶ立体的な弧を描く曲面を形成している。【０００３】
足底アーチは、頭蓋から、頸椎、腰椎、骨盤、大腿骨、膝蓋骨、及び下腿骨を経て人間の体重を支え、直立姿勢を保持する上で、非常に重要な働きをしている。従って、足底アーチが崩れ、人間の土台が崩れると、頭蓋までの正しい直立姿勢が保持できなくなる。これが、膝の痛み、腰痛、猫背等の原因になり、また、内臓を圧迫する姿勢となって万病を引き起こす原因にもなる。更に、足底アーチは、歩行時にスプリングの効果を発揮して歩行時の衝撃を和らげ、また、人間が動き始めたときに体重の数倍かかる動的荷重を分散させている。加えて、足底アーチが正常に発達した状態では、歩くたびに足底アーチの伸縮によって血液（静脈血）を持ち上げるという、第３の心臓と呼ばれるポンプの役割も果たしている。【０００４】
このように、正常に発達した足底アーチを有することは、人間の健康にとって非常に重要であり、このために、例えば、足底アーチに対応する凹凸部を有する足底板を靴底や靴の中敷等として使用することが行われている（特許文献１参照）。【０００５】
この足底板の使用は、足底アーチの保持・形成に有効ではあるが、これを有効に機能させるためには、足底板を使用者の足底の形状に適合させる必要があり、特に、足底板の凸部の位置を、横アーチの頂点に合わせることが重要である。この横アーチの頂点は、東洋医学の足のツボ（湧泉）にあたる。ここには静脈、動脈及び神経が集中しているため、この場所に的確に刺激を与えると、足の疲れの回復促進や、下肢の血流促進の効果が得られる。このために、靴において、足底板を適切な位置に装着することが行われている（特許文献２参照）。
【先行技術文献】
【特許文献】
【０００６】
【特許文献１】実用新案登録第３０５５３６８号公報
【特許文献２】特開２００８−０９３１１６号公報
【発明の概要】
【発明が解決しようとする課題】
【０００７】
ところで、上述した足底板は、足底板自体を靴の中底の形状やその輪郭の形状に合致させることで足底板を靴の内部に固定するものとなっている。【０００８】
しかしながら、女性用のミュール、サンダル又はパンプス等は、夏の時期に女性が素足又は素足に近い状態で履くものであるため、甲被部分が通常の靴よりも省略されており、したがって、上述したような足底板を靴底に固定するのが困難であった。【０００９】
また、足のツボ（湧泉）に対する刺激を強くしようとすれば、その分だけインソールが足から受ける前すべりの力が大きくなってしまうため、足のツボ（湧泉）に対する十分な刺激とインソール自体のずれ防止を両立するのは困難であった。【００１０】
さらに、女性用のミュール、サンダル又はパンプス等では、ヒールの高さが比較的高いため、足が中底に対して前すべりしてしまうという課題も知られている。【００１１】
また、靴を履き替えたときに、履き替えた先の靴においてもすぐに湧泉を刺激することができれば便利である。【００１２】
そこで、本発明は、足のツボ（湧泉）に対する刺激と、履物の中底に対するインソール自体のずれ防止と、中底に対する足の前すべり防止と、を同時に行うことができ、靴を履き替えたときにも簡単に湧泉を刺激することのできるインソール及び履物を提供することを目的とする。
【課題を解決するための手段】
【００１３】
本発明は、履物の中底の上面の一部であって湧泉に対向する位置に載置されるインソールであって、弾性を有し、表面に粘性を有し、前記履物の中底の上面に載置される平板状の基部と、前記基部から前記湧泉に向かって突出する頂点を有する突部と、を備え、前記基部と前記突部は同一の材料により一体成形され、前記頂点の突出量として所定量を設定する場合、前記基部の面積が前記インソールの前記中底に対するずれ防止の観点から決定されることを特徴とするインソールに関する。【００１４】
ここで、前記基部と前記突部のうちの少なくとも一方は、前記突部が前記湧泉に対向して配置されるための目印を有することが好ましい。【００１５】
また、前記基部の上面の法線方向において所定の厚さを有する高さ調整部材を更に備え、前記基部と前記中底の上面との間であって前記湧泉に対向する位置に前記高さ調整部材を挿入可能であることが好ましい。【００１６】
また、前記基部は略卵形であり、前記突部は前記基部より小さく前記基部に対して相似形状であり、前記基部の幅方向における中央位置は前記突部の幅方向における中央位置に一致し、前記基部の幅をＢとし、前記基部の長手方向における長さをＣとし、前記頂点における突部の厚さをＦとすると、１８０／７  ≦  （Ｂ＋Ｃ）／Ｆを満たしていることが好ましい。【００１７】
また、本発明は、請求項１〜４いずれか一項に記載のインソールが装着された履物に関する。
【発明の効果】
【００１８】
本発明によれば、足のツボ（湧泉）に対する刺激と、履物の中底に対するインソール自体のずれ防止と、足の前すべり防止と、を同時に行うことができ、靴を履き替えたときにも簡単に湧泉を刺激することのできるインソール及び履物を提供することができるインソールを提供することができる。
【図面の簡単な説明】
【００１９】
【図１】本実施形態に係るインソールを示す全体図であり、（ａ）は正面図であり、（ｂ）は平面図であり、（ｃ）は側面図である。
【図２】本実施形態に係るインソールが中底の上面に装着された様子を示す平面図である。
【図３】本実施形態に係るインソールと、履物を履いた足との位置関係を示す底面図である。
【図４】本実施形態に係るインソールが中底上に載置された履物を示す斜視図である。
【図５】本実施形態に係るインソールによって湧泉を刺激することによるポンプ作用を示す説明図である。
【図６】本実施形態に係るインソールの変形例を示す全体図であり、（ａ）は正面図であり、（ｂ）は平面図であり、（ｃ）は側面図である。
【発明を実施するための形態】
【００２０】
以下、本発明のインソール１について図面を参照しながら説明する。図１は、本実施形態に係るインソール１を示す全体図であり、（ａ）は正面図であり、（ｂ）は平面図であり、（ｃ）は側面図である。ここで、説明の便宜上、図１（ｂ）において上方を前方と定義し、下方を後方と定義する。また、図１（ｂ）において右方を右方と定義し、左方を左方と定義する。また、図１（ａ）において上方を上方と定義し、下方を下方と定義する。
【００２１】
図１に示すように、インソール１は、女性用のパンプスやミュールやサンダル等の履物の中底の上面の一部であって、東洋医学における足のツボ（湧泉）に対向する部分に載置される。インソール１は、履物を履いている足が履物に対して前に滑ることを防止するためのものである。
【００２２】
図１に示すように、インソール１は、基部１０と突部３０とを有している。図１（ａ）に示すように、基部１０は、インソール１の最下部であり中底の上面に載置される。突部３０は、基部１０から上方に、即ち、インソール１が中底の上面に載置されているときに、基部１０から湧泉に向かう方向に突出している部分であり、図１（ｂ）に示される破線で囲まれた部分である。
【００２３】
基部１０は、平板状である。図１（ｂ）に示すように平面視では、基部１０の前部１１は略半円形であり、基部１０の後部１２は、あたかも半円の最後端を更に後方へ引っ張って後端１３を尖らせたような形状（「最後端被尖半円形状」と定義する）を有しており、全体として後端１３側を頂部とする略卵形を有している。基部１０の厚さＡは、０．７ｍｍから１．３ｍｍが好ましく、本実施形態では１ｍｍである。基部１０の厚さＡが０．７ｍｍ未満の場合には、薄すぎてインソール１自体の耐久性に問題を生じるおそれがあり実用的ではなく、一方、１．３ｍｍを超える場合には不必要に厚すぎて製造コストが余計にかかるおそれがあるためである。
【００２４】
また、基部１０の左右方向における最大幅Ｂは、３５ｍｍから６５ｍｍが好ましく、本実施形態では５０ｍｍである。基部１０の左右方向における最大幅Ｂが３５ｍｍ未満の場合には、インソール１と中底の接触面が小さくなることを意味するから、後述する突部３０の最大厚さＦとの関係を考慮しないと、インソール１自体が中底上でずれて（あるいは剥がれて）しまうおそれがある。一方、最大幅Ｂが６５ｍｍを超える場合には、中底の大きさからはみ出してしまう等のデザイン上の問題を生じたり、足底とインソール１との接触面が大きくなるために足底が蒸れる等の問題を生じるおそれがある。
【００２５】
さらに、基部１０の前後方向における長さＣは、５５ｍｍから１０５ｍｍが好ましく、本実施形態では８０ｍｍである。基部１０の前後方向における長さＣが５５ｍｍ未満の場合には、上述した最大幅Ｂの場合と同様に、インソール１と中底の接触面が小さくなることを意味するから、後述する突部３０の最大厚さＦとの関係を考慮しないと、インソール１自体が中底上でずれてしまうおそれがある。一方、長さＣが１０５ｍｍを超える場合も、上述した最大幅Ｂの場合と同様であり、中底の大きさからはみ出してしまう等のデザイン上の問題を生じたり、足底と接触面が大きくなるために足底が蒸れる等の問題を生じるおそれがある。
【００２６】
突部３０は、基部１０上面の法線方向、即ち上方から見た場合において基部１０より小さく、基部１０に対して相似形状である。ここで、「相似形状」とは、幾何学的に厳密な相似形状を意味しているのではない。基部１０上面の法線方向から見た場合に、突部３０の周縁に沿って基部１０の縁部が、所定の幅を有して突部３０の周囲を取り囲んでいることを意味する。この突部３０を取り囲んでいる基部１０の縁部の「所定の幅」については、一定であってもよく、あるいは場所により多少変化してもよい。
【００２７】
突部３０の左右方向、即ち突部３０の幅方向における中央位置は、基部１０の幅方向における中央位置に一致する。従って左右方向において、突部３０の右端３４から基部１０の右端１４までの長さと、突部３０の左端３５から基部１０の左端１５までの長さとは同一の値である。
【００２８】
また、突部３０は、図１（ｂ）に示すように平面視では、基部１０と同様に前部３１は略半円形であり、後部３２は、あたかも半円の最後端を更に後方へ引っ張って後端３３を尖らせたような形状（「最後端被尖半円形状」と定義する）を有しており、全体として後端１３側を頂部とする略卵形を有している。突部３０の左右方向における最大幅Ｄは、２０ｍｍから４０ｍｍが好ましく、本実施形態では３０ｍｍである。一方、突部３０の左右方向における最大幅Ｄが２０ｍｍ未満の場合には、突部３０の領域が小さくなることを意味するから、ヒールの高さが比較的高い履物にインソール１を装着した場合、足が前すべりしやすくなるおそれがある。一方、４０ｍｍを超える場合には、基部１０の厚さＡが厚くなることと同義となるから、製造コストの面から問題を生じるおそれがある。
【００２９】
また、突部３０の前後方向における長さＥは、３５ｍｍから６５ｍｍが好ましく、本実施形態では５０ｍｍである。突部３０の前後方向における長さＥが３５ｍｍ未満の場合には、上述した最大幅Ｄの場合と同様に、突部３０の領域が小さくなることを意味するから、足が前すべりしやすくなるおそれがある。一方、６５ｍｍを超える場合も、上述した最大幅Ｄの場合と同様であり、製造コストの面から問題を生じるおそれがある。
【００３０】
さらに突部３０は、上下方向、即ち基部１０の上面の法線方向において厚みを有している。より詳細には、突部３０の一部であって左右方向における最大幅を有する部分の幅方向中央部は、突部３０の最大突出値を有する頂点３６を有する。頂点３６における突部３０の厚さ、即ち、突部３０の最大厚さＦは、３．５ｍｍから６．５ｍｍが好ましく、本実施形態では５ｍｍである。突部３０の最大厚さＦが３．５ｍｍ未満の場合には、足のツボ（湧泉）に対する刺激が不十分となるおそれがある。一方、最大厚さＦが６．５ｍｍを超える場合には、インソール１が足から受けるあまりにも大きくなって、インソール１を前方へすべらせる力（いわゆる前すべり力）が強くなるため、上述した最大幅Ｂ及び長さＣとの関係を考慮し、インソール１自体が中底上でずれてしまわないように、６．５ｍｍ以下とする必要がある。頂点３６におけるインソール１の厚さは、突部３０の最大厚さＦと基部１０の厚さＡとの和であり６ｍｍ程度である。
【００３１】
したがって、略卵形のインソール１を考慮すると、その最大幅Ｂ及び長さＣの和（基部１０の面積に影響する）と、最大幅Ｄ及び長さＥの和（突部３０の面積に影響する）と、最大厚さＦとの関係は、それぞれ、履物の中底に対するインソール１自体のずれ防止（Ｂ＋Ｃ）と、足の前すべり防止（Ｄ＋Ｅ）と、足のツボ（湧泉）に対する刺激（Ｆ）を両立する観点から、
１８０／１１０  ≦  （Ｂ＋Ｃ）／（Ｄ＋Ｅ）  ≦  ３４０／２１０、
１８０／７  ≦  （Ｂ＋Ｃ）／Ｆ  ≦  ３４０／１３、
１１０／７  ≦  （Ｄ＋Ｅ）／Ｆ  ≦  ２１０／１３、の範囲が好ましい。
特に、足のツボ（湧泉）に対する刺激とインソール１自体のずれ防止の観点から見ると、１８０／７  ≦  （Ｂ＋Ｃ）／Ｆ  の関係を満たしていることが重要である。すなわち、（Ｂ＋Ｃ）／Ｆが１８０／７未満の場合、最大厚さＦの値に対して、最大幅Ｂ及び長さＣの和が小さいことを意味するから、中底に接触する基部１０の面積が相対的に小さく、インソール１自体のずれを十分に防止できず、中底からインソール１が外れてしまうおそれがある。突部３０の最大厚さＦは、足のツボ（湧泉）に対して十分な刺激を行う観点から決めるべきものなので、この最大厚さＦとの関係で、中底に対するインソール１の前すべり防止の効果を十分に発揮するように、最大幅Ｂ及び長さＣの和を上記範囲に設定すればよい。なお、（Ｂ＋Ｃ）／Ｆの上限値は、基部１０の面積が大きいことを意味するから、上述したように、中底の大きさや足底の蒸れ防止の観点から、設定すればよい。
【００３２】
前後方向に沿って突部３０の厚さの変化を見ると、図１（ｃ）に示すように突部３０の厚さは、頂点３６から突部３０の後端３３に向かって、頂点３６と突部３０の後端３３との中間位置３８に至るまで極めて緩やかに薄くなり、そして、当該中間位置３８から後端３３に至るまで、徐々に薄くなる。後端３３における突部３０の上面の、前上方への立ち上がりの角度Ｇは１０°（度）から２０°（度）が好ましく、本実施形態では１５°（度）である。立ち上がりの角度Ｇが１０°（度）未満の場合には、最大厚さＦの値が小さ過ぎることとなり、湧泉を効果的に刺激するためには、突部の弾性が足りず、湧泉をポンピングする効果を十分に得ることができない。一方、角度Ｇが２０°（度）を超える場合には、湧泉とは別の部分（湧泉よりも後方の部分）を主として刺激することになってしまい、湧泉を刺激するという本来の目的を達成することができなくなるおそれがある。
【００３３】
また、突部３０の厚さは、頂点３６から突部３０の前端に向かって、頂点３６と突部３０の前端３７との中間位置３９に至るまで極めて緩やかに薄くなり、そして、当該中間位置３９から前端３７に至るまで、急激に薄くなる。前端３７における突部３０の上面の、後上方への立ち上がりの角度Ｈは３５°（度）から６５°（度）が好ましく、本実施形態では５０°（度）である。立ち上がりの角度Ｈが３５°（度）未満の場合には、最大厚さＦの値が小さ過ぎることとなり、湧泉を刺激するためには、突部３０の弾性が物足りず、湧泉をポンピングする効果を十分に得ることができない。一方、角度Ｈが６５°（度）を超える場合には、立ち上がりが急峻すぎて異物感が強くなり、足にインソール１が接触するときの感触が悪くなるおそれがある。
【００３４】
また、左右方向に沿って突部３０の厚さの変化を見ると、図１（ａ）に示すように、突部３０の厚さは、頂点３６から突部３０の右端３４に向かって、頂点３６と突部３０の右端３４との中間位置４１に至るまで極めて緩やかに薄くなり、そして当該中間位置４１から右端３４に至るまで、急激に薄くなる。右端３４における突部３０の上面の、左上方への立ち上がりの角度Ｉは３０°（度）から６０°（度）が好ましく、本実施形態では４５°（度）である。立ち上がりの角度Ｉが３０°（度）未満の場合には、突部の弾性が物足りず、湧泉をポンピングする効果を十分に得ることができない。一方、角度Ｉが６０°（度）を超える場合には、立ち上がりが急峻すぎて異物感が強くなり、足にインソール１が接触するときの感触が悪くなるおそれがある。
【００３５】
また、突部３０の厚さは、頂点３６から突部３０の左端３５に向かって、頂点３６と突部３０の左端３５との中間位置４２に至るまで極めて緩やかに薄くなり、当該中間位置４２から左端３５に至るまで、急激に薄くなる。左端３５における突部３０の上面の、右上方への立ち上がりの角度Ｊは、右端３４における突部３０の上面の、左上方への立ち上がりの角度Ｉと同様の観点から決められ、その角度は同一である。
【００３６】
基部１０と突部３０とは、ゴム系樹脂が一体成形されることにより形成されている。ゴム系樹脂としては、例えば、シリコーンゴム、スチレン系エラストマー、プラスチック等が用いられることが好ましく、本実施形態では透明なシリコーンゴムが用いられている。従って、基部１０及び突部３０は、弾性を有しており、また、基部１０の表面及び突部３０の表面は、粘性を有している。
【００３７】
ここで、「弾性」とは、基部１０と突部３０とを有するインソール１を履物の中底の上面に載置し、人が当該履物を履き歩行したときに、人の体重によって潰れてしまわずに、基部１０及び突部３０の形状をある程度維持できる程度の弾性を意味する。また、「粘性」とは、女性用のパンプスやミュールやサンダル等の履物の中底の上面に基部１０の下面を載置させたときに中底に対して基部１０が滑らず、ヒールの高さが比較的高くても足が前すべりしない程度の粘着力を有していればよい。従って、中底から基部１０を容易に取り外すことができてもよいが、糊や接着剤のような粘り気を有することまでは意味していない。
【００３８】
本発明の基部１０及び突部３０は、突部３０が湧泉に対向して配置されるための目印を有している。目印は点１９であり、基部１０の上面に印刷されている。点１９は、基部１０の一部であって最大幅を有する部分に計２つある。より詳細には、基部１０の右端１４と突部３０の右端３４との中間位置と、基部１０の左端１５と突部３０の左端３５との中間位置と、にそれぞれ１つずつ印刷されている。また、点１９は、基部１０の一部であって最大長さを有する部分に計４つある。より詳細には、基部１０の前端１７と突部３０の前端３７との中間位置と、当該中間位置と基部１０の前端１７との中間位置と、に１つずつ印刷されている。また、基部１０の後端１３と突部３０の後端３３との中間位置と、当該中間位置と基部１０の後端１３との中間位置とに１つずつ印刷されている。また、点４３は後述する基部１０の上面の頂点３６に印刷されている。
【００３９】
図２に示すように、上記構成を有するインソール１は、履物１００（図４参照）の中底１０１の上面１０２に載置されて用いられる。図２は、本実施形態に係るインソール１が中底１０１の上面に装着された様子を示す平面図である。中底１０１の上面におけるインソール１の位置は、当該履物１００を履く人の足２と対比させて表すと図３に示すとおりである。図３は、本実施形態に係るインソール１と、履物１００を履いた足２との位置関係を示す底面図である。そして、中底１０１の上面１０２にインソール１が載置された履物１００の一例であるサンダルを例示すると、図４に示されるとおりである。図４は、本実施形態に係るインソール１が中底１０１上に載置された履物１００を示す斜視図である。
【００４０】
より具体的には、図３に示すように、インソール１の基部１０の一部であって基部１０の前端１７と突部３０の前端３７との間の部分が、足２の第二指の付け根の関節２０１と、足２の第三指の付け根の関節２０２と、にそれぞれ対向する位置関係になるように、中底１０１の上面に載置される。中底１０１の上面であって、このような位置に載置されているときの基部１０の後端１３から踵部までの距離をメジャー等により計測することが好ましい。このことにより、前回インソール１を中底１０１の上面１０２に載置した位置に、再び載置させることができる。
また、中底１０１の上面であって、このような位置に載置されているときの、基部１０及び突部３０の目印である点１９、４３に対向する位置に点を打っておくことが好ましい。このことにより、インソール１を中底１０１の上面１０２から取り外し、再び載置する際に、当該中底１０１の上面１０２の点に、目印である点１９、４３を一致させることで、前回インソール１を中底１０１の上面１０２に載置した位置に、正確に再び載置させることができる。特に、基部１０と突部３０とは透明なシリコーンゴムが用いられているため、中底１０１の上面１０２の点に目印である点を一致させることは極めて容易である。
【００４１】
以上のように、本発明のインソール１の基部１０の表面及び突部３０の表面は、その材料自体が粘性を有し、しかも、インソール１自体のずれ防止の観点から（Ｂ＋Ｃ）／Ｆの値を設定しているため、中底１０１の上面１０２においてインソール１自体がずれることはない。この際、足のツボ（湧泉）に対する十分な刺激を行う観点から最大厚さＦを設定しているため、この位置にインソール１が載置されたサンダルを人が履いて歩行をしているときに、１歩１歩踏み出すたびに湧泉を十分に刺激することができる。
また、本発明のインソール１は、その材料自体が弾性を有し、しかも、その突部３０の立ち上がりの角度Ｇ、Ｈ、Ｉ、Ｊを適切に設定しているので、ピンポイントで足のツボ（湧泉）を押す刺激とは異なり、足のツボ（湧泉）をポンピングするような刺激を得ることができる。
さらに、本発明のインソール１は、その材料自体が粘性を有し、しかも、突部３０の最大幅Ｄ及び長さＥの和を適切に設定しているので、ヒールの高さが比較的高い履物にインソール１を装着した場合でも、足の前すべり防止の効果を得ることができる。
【００４２】
なお、湧泉は足の裏面から足の内方へ向かった比較的深い内部に位置しており、指圧では十分な刺激を与えることは難しい。しかし、本発明のインソール１を用いれば、１歩１歩踏むたびに、湧泉に全体重を作用させることができ、しかも所定の弾性を有する突部３０が湧泉を押圧することになり、湧泉を効果的に刺激することができる。この結果、図５に示すように、歩行による筋肉の摩擦により温められた血液２１１を、湧泉が刺激されることによるポンプ作用によって、心臓に効率よく戻す補助的な働きをすることができる。図５は、本実施形態に係るインソール１によって湧泉を刺激することによるポンプ作用を示す説明図である。
【００４３】
また、湧泉を刺激することにより、然谷と呼ばれるツボと湧泉とを結ぶ経絡の連絡路たる足少陰腎経を刺激し、湧泉を刺激する効果をより一層強くすることができる。さらに、突部３０の前部３１は半円形状であり所定の面積を有しているため、湧泉のみならず湧泉の近傍にある心臓の機能を高めるツボ（足心）や肝臓の機能を高めるツボ（太衝）をも同時に刺激することができる。
【００４４】
さらに、基部１０と突部３０とは同一の材料のゴム系樹脂により一体成形されているため、インソール１の構成を簡単にすることができ、インソール１の製造を容易とすることができる。
【００４５】
また、前述のように、基部１０上面の法線方向から見た場合において、突部３０は基部１０より小さく突部３０は基部１０に対して相似形状であり、基部１０の幅方向における中央位置は突部３０の幅方向における中央位置に一致する。更に、突部３０の一部であって最大幅を有する部分の幅方向中央部は、突部３０の最大突出値を有する頂点３６を有する。このため、頂点３６を中心として湧泉を効果的に刺激することができる。
【００４６】
本発明の実施形態は、上記実施形態に限定されることはなく、特許請求の範囲に記載された技術的範囲において変形が可能である。例えば、インソール１は、基部１０及び突部３０とは別個独立した高さ調整部材を有していてもよい。
【００４７】
例えば、高さ調整部材５１は、図６（ｂ）に示すように平面視では円形である。図６は、本実施形態に係るインソール１の変形例を示す全体図であり、（ａ）は正面図であり、（ｂ）は平面図であり、（ｃ）は側面図である。
【００４８】
高さ調整部材５１の半径Ｋは、１０ｍｍから２０ｍｍが好ましく、本実施形態では１５ｍｍである。高さ調整部材５１の半径Ｋが１０ｍｍ未満の場合には、湧泉に向かって更に高く突出する部分が小さくなり、湧泉をより強くポンピングすることが困難になるためである。半径Ｋが２０ｍｍを超える場合には、湧泉に向かって更に高く突出する部分が不必要に大きくなる。高さ調整部材５１は、基部１０上面の法線方向、即ち、上下方向において所定の厚さを有している。高さ調整部材５１の最大厚さＬは、３．５ｍｍから６．５ｍｍが好ましく、本実施形態では５ｍｍである。高さ調整部材５１の最大厚さＬが３．５ｍｍ未満の場合には、湧泉に向かって更に高く突出する部分が低くなり、高さを十分に得ることができず、湧泉をより強くポンピングすることが困難になるためである。また、最大厚さＬが６．５ｍｍを超える場合には、基部が中底から浮き上がってしまい、基部が中底に接触する面積が小さくなって、インソール１自体のずれ防止の効果を減じてしまうためである。
【００４９】
高さ調整部材５１は、ゴム系樹脂で形成されている。ゴム系樹脂としては、例えば、シリコーンゴム、スチレン系エラストマー、プラスチック等が用いられることが好ましく、本実施形態ではシリコーンゴムが用いられている。
なお、高さ調整部材５１は、平面視が円形の部材に限られず、平面視が方形の部材であってもよく、また、全体として角型の形状であってもよい。この場合、その幅と高さが、上記半径Ｋ及び最大厚さＬと同等の大きさを有していればよい。
【００５０】
高さ調整部材５１は、基部１０と中底の上面との間であって湧泉に対向する位置に挿入されて用いられる。このように挿入されることにより、図５（ａ）、図５（ｃ）に示すように、突部３０の頂点３６を上方向、即ち基部１０の上面の法線方向へ更に突出させることができる。このため、履物の寸法や形状により、基部１０及び突部３０のみでは湧泉に対する刺激が十分でない場合に、高さ調整部材５１を用いて、湧泉に対する刺激をより高めることができる。また、高さ調整部材５１として基部１０や突部３０よりも硬い材料、例えば、プラスチックを用いた場合には、湧泉に対する刺激を更に高めることができる。
【００５１】
また、インソール１を強固に中底１０１の上面１０２に固定したい場合には、インソール１の基部１０の下面をパット固定部材によって中底１０１の上面１０２に固定してもよい。パット固定部材としては、例えば、マジックテープ（登録商標）等を用いてもよい。
【００５２】
さらに、高さ調整部材５１を、その内部に空間を有する構成とし、空間に液体等を充填することにより高さを調整可能に構成されていてもよい。
また、目印は点であったが点に限定されない。また、基部１０、突部３０のいずれか一方が目印を有していてもよい。
さらに、本発明では、その実施例として、女性用のサンダルのような比較的小さい足に装着される履物１００への適用例を示したが、これに限られず、本発明は、男性用靴等の比較的大きい足に装着される靴へも適用可能である。この場合、足が大きい人に対してもインソール１による湧泉刺激の効果を確保するために、突部３０の最大厚さＦを更に大きくし、それに伴い、（Ｂ＋Ｃ）／Ｆの値が既に述べた範囲となるように、最大幅Ｂ及び長さＣの和（基部１０の面積）を設定すればよい。
また、基部１０と突部３０とは同一の材料により一体成形されていたが、これに限定されない。例えば、基部１０と突部３０とが別体であり基部１０に突部３０が固定されていてもよい。さらに、基部１０の材料と突部３０の材料とが、同一の材料により構成させていなくてもよい。
【符号の説明】
【００５３】
１  インソール
１０  基部
３０  突部
３６  頂点
１９、４３  点
１００  履物
１０１  中底
１０２  上面
【要約】
履物の中底の上面の一部であって湧泉に対向する位置に載置され、履物を履いている足が履物に対して前に滑ることを防止するためのインソール１である。インソール１は、弾性を有し表面に粘性を有し履物１００の中底の上面に載置される平板状の基部１０と、弾性を有し基部１０から湧泉に向かって突出する突部３０と、を備え、基部１０と突部３０とは同一の材料により一体成形されている。足のツボ（湧泉）に対する刺激と、履物の中底に対するインソール１自体のずれ防止と、中底に対する足の前すべり防止と、を同時に行うことができ、靴を履き替えたときにも簡単に湧泉を刺激することができる。【図１】
0005450823.tif 000002
【図２】
0005450823.tif 000003
【図３】
0005450823.tif 000004
【図４】
0005450823.tif 000005
【図５】
0005450823.tif 000006
【図６】
0005450823.tif 000007